(57)【要約】【課題】記録媒体がセキュリティロック状態であるかを判別することができる記録装置の制御方法を提供することである。【解決手段】記録装置の制御方法は、記録媒体にファイルを記録する記録装置の制御方法であって、最後に記録媒体に記録したファイルに関する情報を保持するステップと、保持した情報で特定されるファイルを記録装置に装着された記録媒体から読み出した結果に基づいて、記録媒体がセキュリティロック状態であるかを判別するステップ（Ｓ３０８）と、を有する。【選択図】図３
2020098954.tif 000002
【特許請求の範囲】
【請求項１】
記録媒体にファイルを記録する記録装置であって、
最後に記録媒体に記録したファイルに関する情報を保持する保持手段と、
前記保持手段により保持した情報で特定されるファイルを前記記録装置に装着された記録媒体から読み出した結果に基づいて、前記記録媒体がセキュリティロック状態であるかを判別する制御手段と、を有することを特徴とする記録装置。
【請求項２】
前記制御手段は、前記記録装置に記録媒体が装着されていることを検出したことに応じて、前記記録媒体と接続し、前記保持手段により保持した情報で特定されるファイルを前記記録装置に装着された記録媒体から読み出した結果に基づいて、前記記録媒体がセキュリティロック状態であるかを判別することを特徴とする請求項１に記載の記録装置。
【請求項３】
前記制御手段は、前記保持手段により保持した情報で特定されるファイルの少なくとも一部のデータを読み出し、当該読み出した結果に基づいて、前記記録媒体がセキュリティロック状態であるかを判別することを特徴とする請求項１に記載の記録装置。
【請求項４】
前記制御手段により前記記録媒体がセキュリティロック状態であると判別された場合に、セキュリティロック状態であることをユーザに通知する通知手段を有することを特徴とする請求項１に記載の記録装置。
【請求項５】
前記通知手段は、前記記録装置の表示手段に、前記記録媒体がセキュリティロック状態であることを示す表示を行うことを特徴とする請求項４に記載の記録装置。
【請求項６】
前記通知手段は、前記装着された記録媒体から読み出したデータが特定パターンのデータである場合には、前記装着された記録媒体がセキュリティロック状態であることを示す情報を表示するように制御することを特徴とする請求項４または５に記載の記録装置。
【請求項７】
前記ファイルは、画像ファイルであることを特徴とする請求項１〜６のいずれか１項に記載の記録装置。
【請求項８】
前記ファイルは、動画像ファイルであることを特徴とする請求項１〜７のいずれか１項に記載の記録装置。
【請求項９】
前記通知手段は、前記装着された記録媒体からの読み出しに失敗した場合には、前記装着された記録媒体が破損していることを示す情報を通知することを特徴とする請求項４〜６のいずれか１項に記載の記録装置。
【請求項１０】
前記通知手段は、前記装着された記録媒体にアクセス可能でない場合には、前記装着された記録媒体が破損していることを示す情報を通知することを特徴とする請求項４〜６、９のいずれか１項に記載の記録装置。
【請求項１１】
前記通知手段は、前記装着された記録媒体から読み出したデータが特定パターンのデータではなく、かつ、前記保持手段により保持した情報で特定されるファイルの少なくとも一部のデータのデコード処理に失敗した場合には、前記装着された記録媒体に記録されているファイルのデータが破損していることを示す情報を通知することを特徴とする請求項４〜６、９、１０のいずれか１項に記載の記録装置。
【請求項１２】
前記ファイルは、動画像ファイルであり、
前記通知手段は、前記装着された記録媒体から読み出したデータが特定パターンのデータではなく、かつ、前記保持手段により保持した情報で特定される動画像ファイルの先頭フレームの画像のデコード処理に失敗した場合には、前記装着された記録媒体に記録されている動画像ファイルのデータが破損していることを示す情報を通知することを特徴とする請求項４〜６、９〜１１のいずれか１項に記載の記録装置。
【請求項１３】
前記通知手段は、警告モードが設定されている場合、前記制御手段により前記記録媒体がセキュリティロック状態であると判別された場合に、セキュリティロック状態であることをユーザに通知することを特徴とする請求項４〜６、９〜１２のいずれか１項に記載の記録装置。
【請求項１４】
前記特定パターンは、０ｘＦＦまたは０ｘ００であることを特徴とする請求項６、１１、１２のいずれか１項に記載の記録装置。
【請求項１５】
記録媒体にファイルを記録する記録装置の制御方法であって、
最後に記録媒体に記録したファイルに関する情報を保持するステップと、
前記保持した情報で特定されるファイルを前記記録装置に装着された記録媒体から読み出した結果に基づいて、前記記録媒体がセキュリティロック状態であるかを判別するステップと、を有することを特徴とする記録装置の制御方法。
【請求項１６】
コンピュータを、請求項１〜１４のいずれか１項に記載された記録装置の各手段として機能させるためのプログラム。
【発明の詳細な説明】
【技術分野】
【０００１】
本発明は、記録装置、記録装置の制御方法およびプログラムに関する。
【背景技術】
【０００２】
ビデオカメラなどの画像記録装置では、持ち運び可能なメモリカードなどの記録媒体に動画像を記録する。そのため、記録媒体の紛失や盗難にあった場合、それを取得した第三者が、インターネットなどに記録媒体の動画像を流出させるリスクが課題となる。
【０００３】
動画像の流出の課題に対して、セキュリティのロック状態を設定可能な記録媒体が知られている（特許文献１参照）。記録媒体は、セキュリティのロックが解除されている場合には、データの読み出しが可能であるが、セキュリティがロックされている場合には、データを読み出すことができない。
【先行技術文献】
【特許文献】
【０００４】
【特許文献１】特開２０１７‐１４６９８９号公報
【発明の概要】
【発明が解決しようとする課題】
【０００５】
ロックされた記録媒体をカメラに装着したまま、カメラ本体の電源をオフにして再度オンにした場合や、記録媒体の抜き差しを行うと、直前に撮影された動画像は、撮影したカメラでも閲覧することができなくなる。記録媒体にロック状態を設定した人物と、実際の記録媒体のユーザとが異なる場合がある。その場合、記録媒体のユーザは、記録媒体のロック状態、記録媒体が破損した状態、または、先ほど記録したばかりのデータが破損した状態のいずれであるのかを区別することができず、使い勝手が悪いという課題がある。
【０００６】
本発明の目的は、記録媒体がセキュリティロック状態であるかを判別することができる記録装置、記録装置の制御方法およびプログラムを提供することである。
【課題を解決するための手段】
【０００７】
本発明の記録装置は、記録媒体にファイルを記録する記録装置であって、最後に記録媒体に記録したファイルに関する情報を保持する保持手段と、前記保持手段により保持した情報で特定されるファイルを前記記録装置に装着された記録媒体から読み出した結果に基づいて、前記記録媒体がセキュリティロック状態であるかを判別する制御手段と、を有する。
【発明の効果】
【０００８】
本発明によれば、記録媒体がセキュリティロック状態であるかを判別することができる。
【図面の簡単な説明】
【０００９】
【図１】カメラのハードウェアの構成例を示すブロック図である。
【図２】カメラの制御方法を示すフローチャートである。
【図３】カメラの制御方法を示すフローチャートである。
【発明を実施するための形態】
【００１０】
図１は、本発明の実施形態によるカメラ１００のハードウェアの構成例を示すブロック図である。カメラ１００は、記録装置であり、デジタルカメラ、ビデオカメラの他、スマートフォン、タブレット、工業用カメラ、医療用カメラ、車載カメラ等に適用可能である。
【００１１】
バス１０１は、カメラ１００の各ブロックがデータの入出力を行うためのデータバスである。カメラ１００の各ブロックは、バス１０１を介して、データの入出力を行う。
【００１２】
レンズユニット１０２は、集光のための固定レンズ群、変倍レンズ群、絞り、変倍レンズ群の動きにより移動した結像位置を補正する機能と焦点調節を行う機能とを兼ね備えた補正レンズ群を有する。レンズユニット１０２は、撮像素子１０３の結像面上に被写体像を結像する。
【００１３】
撮像素子１０３は、光を電荷に変換し、画像信号を生成し、生成した撮像信号を前処理部１０４に出力する。撮像素子１０３は、例えば、ＣＣＤイメージセンサやＣＭＯＳイメージセンサなどである。なお、撮像素子１０３は、撮像面上の全ての画素がそれぞれ一対の受光素子により構成され、各画素においてマイクロレンズにより形成された対の光学像を一対の受光素子により光電変換できる、いわゆるデュアルピクセルタイプのものを用いてもよい。
【００１４】
前処理部１０４は、撮像素子１０３が出力した画像信号を、ＲＡＷ処理部１０５が入力することができるＲＡＷデータ（ＲＡＷ画像）に変換し、ＲＡＷデータをＲＡＷ処理部１０５へ出力する。
【００１５】
ＲＡＷ処理部１０５は、前処理部１０４により生成されたＲＡＷデータをＤＲＡＭ１１０に書き込む。
【００１６】
画像処理部１０６は、ＤＲＡＭ１１０に書き込まれたＲＡＷデータに対して、補間処理や画質調整処理等のＲＡＷ現像処理を行い、それぞれのＲＡＷデータに対応したＹＵＶ形式の画像データを生成し、その画像データをＤＲＡＭ１１０に書き込む。
【００１７】
操作部１０７は、ユーザが操作入力するためのものであり、例えばタッチパネルや操作キー（ボタン、ダイヤル、レバー等）などである。ユーザが操作部１０７を操作すると、操作部１０７は、操作内容に応じた操作情報を制御部１０８に出力し、制御部１０８は、操作内容に応じた処理を実行する。
【００１８】
制御部１０８は、ＣＰＵ（Ｃｅｎｔｒａｌ  Ｐｒｏｃｅｓｓｉｎｇ  Ｕｎｉｔ）などの処理部である。制御部１０８は、ＲＯＭ１１１から読み出したプログラムに基づいて、カメラ１００が備える各ブロックの制御や、操作部１０７からの操作情報や、他のブロックからの情報に基づいて、各種処理を実行する。
【００１９】
ＲＡＭ（Ｒａｎｄｏｍ  Ａｃｃｅｓｓ  Ｍｅｍｏｒｙ）１０９は、制御部１０８が作業領域として使用する揮発性メモリである。
【００２０】
ＤＲＡＭ（Ｄｙｎａｍｉｃ  Ｒａｎｄｏｍ  Ａｃｃｅｓｓ  Ｍｅｍｏｒｙ）１１０は、カメラ１００の各ブロックが作業領域として使用する揮発性メモリである。なお、ＤＲＡＭ１１０は、所定期間に読み書き（リード／ライト）できるデータ量（読み出し速度／書き込み速度）に上限があり、その上限を超えてデータの読み書きを行うことはできない。なお、ＤＲＡＭ１１０は、ＤＲＡＭとは異なる機構による、高速な揮発性メモリや不揮発性メモリに置き換えることができる。また、ＲＡＭ１０９とＤＲＡＭ１１０は、同一の記憶装置上に共存する構成であってもよい。
【００２１】
ＲＯＭ（Ｒｅａｄ  Ｏｎｌｙ  Ｍｅｍｏｒｙ）１１１は、制御部１０８が実行するプログラムなどが格納された不揮発性の記録媒体であり、例えばフラッシュＲＯＭで構成される。また、制御部１０８は、記録媒体１１６に格納されたプログラムをＲＡＭ１０９にロードし、ＲＡＭ１０９のプログラムを実行してもよい。
【００２２】
オンスクリーンディスプレイ（ＯＳＤ）部１１３は、各種設定メニューや顔枠、後述する各種警告表示などのＯＳＤデータ（表示アイテム）を生成し、ＯＳＤデータをＤＲＡＭ１１０に書き込む。
【００２３】
動画像圧縮部１１４は、ＤＲＡＭ１１０に書き込まれたＹＵＶ形式の画像データをＭＰＥＧ形式で圧縮（エンコード）し、動画像データとしてＤＲＡＭ１１０に書き込む。
【００２４】
メディア制御部１１５は、ＤＲＡＭ１１０に書き込まれた動画像データを、例えば、ＭＸＦ形式に配置し、ＦＡＴファイルシステムなどのコンピュータと互換のあるフォーマットに従って、記録媒体１１６に動画像ファイルを記録する。ＭＸＦ形式は、Ｍａｔｅｒｉａｌ  Ｅｘｃｈａｎｇｅ  Ｆｏｒｍａｔ形式である。なお、制御部１０８が動画像データをＭＸＦ形式に配置する処理を行ってもよい。
【００２５】
記録媒体１１６は、例えばメモリカードなどである。記録媒体１１６は、カメラ１００に対して着脱可能な記録媒体であり、カメラ１００以外にもパーソナルコンピュータ（ＰＣ）等に装着することができる。記録媒体１１６は、通常のメモリカードだけでなく、セキュリティ機能を有するセキュリティカードでもよい。
【００２６】
ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）出力部１１７は、ＤＲＡＭ１１０に書き込まれたＹＵＶ形式の画像データとＯＳＤデータを合成して外部出力用信号としてＨＤＭＩ１１８へ出力する。
【００２７】
ＨＤＭＩ１１８は、ＨＤＭＩ出力部１１７より入力される外部出力用信号をＨＤＭＩ形式に変換して外部に出力する。
【００２８】
ファイル情報記録部１１９は、制御部１０８が最後に記録した動画像データに関する情報（例えば、ファイル名、アクセス日時、ファイルサイズ等）を記憶するリード／ライト可能な不揮発性の記録媒体である。ファイル情報記録部１１９は、例えば、フラッシュＲＯＭや、二次電池と組み合わせたＳＲＡＭ等を有する。ファイル情報記録部１１９とＲＯＭ１１１は、同一の記憶装置上に共存する構成であってもよい。
【００２９】
表示部１２０は、液晶パネルや有機ＥＬパネルなどのディスプレイパネルとそれらを駆動する制御回路を有し、ＤＲＡＭ１１０に書き込まれたアＹＵＶ形式の画像データとＯＳＤデータを合成して表示する。
【００３０】
操作部１０７の電源ボタンが操作されると、制御部１０８は、各種処理を実行する。まず、撮像素子１０３は、画像信号を生成する。前処理部１０４は、画像信号をＲＡＷデータに変換する。ＲＡＷ処理部１０５は、ＲＡＷデータをＤＲＡＭ１１０に書き込む。画像処理部１０６は、ＲＡＷデータを基にＹＵＶ形式の画像データを生成する。表示部１２０は、画像データを表示する。制御部１０８は、この処理を周期的に行うことにより、表示部１２０にライブビュー画像を表示させる。
【００３１】
そして、制御部１０８は、操作部１０７の動画撮影開始ボタンが操作されると、動画記録処理を開始する。動画像圧縮部１１４は、ＤＲＡＭ１１０に書き込まれたＹＵＶ形式の画像データを圧縮して動画像データを生成する。制御部１０８は、その動画像データを、メディア制御部１１５を介して、ＭＸＦ形式のフォーマットで記録媒体１１６に記録する。
【００３２】
動画撮影開始ボタンが操作されてから、再度、動画撮影開始ボタンが操作され、動画撮影停止の指示が入力されるまで、制御部１０８は、動画記録処理を実行する。制御部１０８は、動画撮影停止の指示が入力されるまでに撮像素子１０３により生成された画像信号に対して、上述の動画記録処理を行う。このようにして、カメラ１００は、動画像を撮影し、撮影した動画像データを記録媒体１１６に記録することができる。
【００３３】
記録媒体１１６は、上記のように、例えばセキュリティ機能を有するセキュリティカードである。セキュリティカードは、ＮＦＣ搭載のスマートフォンにより、ロック／ロック解除を行うことが可能であり、ロック解除状態の場合は、通常のメモリカードとして機能する。セキュリティカードは、ロック状態の場合は、データの書き込みは可能であるが、保存されたデータの読み出しについて、一部制限がかかる。セキュリティカードは、ロック状態の場合、電源をオンにしてからオフになるまでに記録したデータの読み出しは可能であるが、電源をオンにする前に既にセキュリティカードに保存されていたデータを読み出すことができない。具体的には、セキュリティカードでは、データを読み出すという処理は可能であるが、セキュリティカードのコントローラの制御により、全て、０ｘＦＦというデータで読み出される。セキュリティカードのデータは、０ｘＦＦで読み出されるが、システム情報（ＦＡＴ、ディレクトリエントリ等）は、通常通り、読み出すことができる。すなわち、セキュリティカードは、ロックされた状態でも、セキュリティカードに記録されているファイルに関する情報（ファイル名、ファイルの属性、ファイルサイズ、更新日付、作成日、またはデータの記録位置等）を読み出すことはできる。
【００３４】
セキュリティカードをカメラ１００に装着したまま、カメラ１００の電源をオフにして再度オンにした場合や、セキュリティカードの抜き差しを行うと、直前に撮影された動画像は、撮影したカメラ１００でも閲覧することができなくなる。セキュリティカードのロック状態を設定した人物と、実際のセキュリティカードのユーザとが異なる場合がある。その場合、セキュリティカードのユーザは、セキュリティカードのロック状態、セキュリティカードが破損した状態、または、先ほど記録したばかりの動画像データが破損した状態のいずれであるのかを区別することができず、使い勝手が悪い。
【００３５】
カメラ１００は、警告表示モードでは、セキュリティカードがロック状態なのか、セキュリティカードが破損した状態なのか、または、データが破損した状態なのかを知らせるための警告表示を行う。これにより、ユーザは、セキュリティカードがロックされた状態なのか、セキュリティカードが破損した状態なのか、または、データが破損した状態なのかを容易に区別することができる。カメラ１００は、データのセキュリティを確保しつつ、利便性が向上する。
【００３６】
続いて、図２および図３のフローチャートに基づいて、カメラ１００の制御方法を説明する。制御部１０８は、ＲＯＭ１１１に格納されたプログラムに基づいて、カメラ１００の各部を制御することにより、図２および図３の処理を実現する。
【００３７】
図２は、カメラ１００の制御方法を示すフローチャートである。図２では、セキュリティカード（記録媒体）１１６がカメラ１００に装着され、カメラ１００が動画像ファイルをセキュリティカード１１６に記録する際の処理を示す。
【００３８】
ステップＳ２０１では、制御部１０８は、撮影時にステップＳ２０２に進む。例えば、制御部１０８は、ユーザが操作部１０７を操作し、撮影を実行した際、または、撮影を終了した際に、ステップＳ２０２に進む。
【００３９】
ステップＳ２０２では、制御部１０８は、警告表示モード（警告モード）が設定されているか否かを判定し、警告表示モードが設定されていない場合には、ステップＳ２０５に進み、警告表示モードが設定されている場合には、ステップＳ２０３に進む。
【００４０】
警告表示モードは、セキュリティカード１１６がロック状態なのか、セキュリティカード１１６が破損した状態なのか、または、データが破損した状態なのかを知らせるための警告表示を行うモードである。制御部１０８は、ユーザ操作に応じて、警告表示モードを設定可能である。ユーザが警告表示モードの設定を選択可能にすることにより、ユーザ自身が利便性とセキュリティのどちらをより重視した使い方をするかを選択可能である。
【００４１】
ステップＳ２０３では、制御部１０８は、セキュリティカード１１６に動画像ファイルを記録したか否かを判定する。制御部１０８は、動画像ファイルを記録していない場合には、ステップＳ２０５に進み、動画像ファイルを記録した場合には、ステップＳ２０４に進む。
【００４２】
ステップＳ２０４では、制御部１０８は、最後にセキュリティカード１１６に記録した動画像ファイルに関する情報（例えば、ファイル名、ファイルサイズ等）をファイル情報記録部１１９に保持（記録）し、ステップＳ２０５に進む。なお、動画像ファイルに関する情報は、ファイル名、ファイルサイズを例に挙げたが、最終アクセス日時などの他の情報を含んでいてもよい。ステップＳ２０５では、制御部１０８は、図２の処理を終了する。
【００４３】
図３は、カメラ１００の制御方法を示すフローチャートであり、セキュリティカード１１６がカメラ１００に装着された場合の処理を示す。
【００４４】
ステップＳ３０１では、制御部１０８は、カメラ１００にセキュリティカード１１６が装着されていることを検出すると、セキュリティカード１１６との接続を行い、ステップＳ３０２に進む。
【００４５】
ステップＳ３０２では、制御部１０８は、装着されたセキュリティカード１１６にアクセス可能であるか否かを判定する。例えば、制御部１０８は、セキュリティカード１１６の管理情報が記録されているエリアへアクセスし、データリードが正常に行えるか否かを確認し、正常に行える場合には、アクセス可能であると判定し、正常に行えない場合には、アクセス可能でないと判定する。制御部１０８は、装着されたセキュリティカード１１６にアクセス可能であると判定した場合には、ステップＳ３０３に進み、装着されたセキュリティカード１１６にアクセス可能でないと判定した場合には、ステップＳ３１３に進む。
【００４６】
ステップＳ３０３では、制御部１０８は、装着されたセキュリティカード１１６に１つ以上の動画像ファイルが記録されているか否かを判定する。制御部１０８は、動画像ファイルが記録されている場合には、ステップＳ３０４に進み、動画像ファイルが記録されていない場合には、ステップＳ３１０に進む。制御部１０８は、ファイル名の拡張子が「ＭＸＦ」であるファイルが記録されている場合に、動画像ファイルが記録されていると判定し、ファイル名の拡張子が「ＭＸＦ」であるファイルが記録されていない場合に、動画像ファイルが記録されていないと判定する。
【００４７】
ステップＳ３０４では、制御部１０８は、動画像ファイルに関する情報がファイル情報記録部１１９に保持されているか否かを判定する。制御部１０８は、動画像ファイルに関する情報が保持されている場合には、ステップＳ３０５に進み、動画像ファイルに関する情報が保持されていない場合には、ステップＳ３１０に進む。
【００４８】
ステップＳ３０５では、制御部１０８は、セキュリティカード１１６に記録されている全ての動画像ファイルに関する情報の中で、ファイル情報記録部１１９に保持されている動画像ファイルに関する情報と一致するものがあるか否かを判定する。すなわち、制御部１０８は、ファイル情報記録部１１９に保持されている動画像ファイルに関する情報で特性されるファイルがなるか否かを判定する。動画像ファイルに関する情報は、例えば、ファイル名、ファイルサイズ等である。制御部１０８は、ファイル情報記録部１１９に保持されている動画像ファイルに関する情報と一致する情報を有する動画像ファイルがセキュリティカード１１６に記憶されている場合には、ステップＳ３０６に進む。また、制御部１０８は、ファイル情報記録部１１９に保持されている動画像ファイルに関する情報と一致する情報を有する動画像ファイルがセキュリティカード１１６に記憶されていない場合には、ステップＳ３１０に進む。
【００４９】
ステップＳ３０６では、制御部１０８は、ファイル情報記録部１１９に保持されている動画像ファイルに関する情報と一致する情報を有する、セキュリティカード１１６に記録されている動画像ファイルの一部または全部のデータを読み出す。例えば、一部のデータは、動画像ファイルに含まれる動画像データのうちの任意の１バイトのデータ、連続した複数バイトのデータ、または、異なる複数個所の任意のアドレスの複数バイトのデータである。その後、制御部１０８は、ステップＳ３０７に進む。
【００５０】
ステップＳ３０７では、制御部１０８は、ステップＳ３０６のデータの読み出しが成功したか否かを判定する。例えば、制御部１０８は、セキュリティカード１１６からの読み出しに対する正常応答と共にデータを入力した場合には成功と判定し、セキュリティカード１１６からの読み出しに対するエラー応答を入力した場合には失敗と判定する。制御部１０８は、読み出しに成功した場合には、ステップＳ３０８に進み、読み出しに失敗した場合には、ステップＳ３１３に進む。
【００５１】
ステップＳ３０８では、制御部１０８は、ステップＳ３０６で読み出したデータの値が特定パターンの固定値「０ｘＦＦ」であるか否かを判定する。すなわち、制御部１０８は、ステップＳ３０６で読み出した結果に基づいて、セキュリティカード１１６がセキュリティロック状態であるかを判別する。制御部１０８は、読み出したデータが固定値「０ｘＦＦ」である場合には、ステップＳ３０９に進み、読み出したデータが固定値「０ｘＦＦ」でない場合には、ステップＳ３１１に進む。セキュリティカード１１６は、ロック状態では、上記のように、固定値「０ｘＦＦ」が読み出される。固定値は、「０ｘＦＦ」である場合を例に説明するが、「０ｘ００」、複数バイト（例えば３バイトが「０ｘＦＦ」「０ｘ００」「０ｘＥＥ」などの特定パターンを繰り返す）等の任意の特定パターンでもよい。固定値の特定パターンが複数バイトである場合、ステップＳ３０６では、制御部１０８は、固定値の特定パターンのサイズ以上のデータを読み出す。
【００５２】
ステップＳ３１１では、制御部１０８は、上記の一致する情報を有する動画像ファイルの先頭フレームの画像（少なくとも一部のデータ）のデコード処理（展開処理）を試み、そのデコード処理が成功するか否かを判定する。制御部１０８は、デコード処理が成功した場合には、ステップＳ３１０に進み、デコード処理が失敗した場合には、ステップＳ３１２に進む。
【００５３】
ステップＳ３０９では、ＯＳＤ部１１３は、装着されたセキュリティカード１１６が、直前までカメラ１００で使用されていたカードであり、かつ、セキュリティロック状態であるために動画像ファイルを読み出すことができないことを示す警告画像を生成する。制御部１０８は、表示部１２０またはＨＤＭＩ１１８に対して、その生成された警告画像（情報）を出力し、その生成された警告画像を表示するように制御する。表示部１２０は、その警告画像を表示し、ユーザに通知する。その後、制御部１０８は、ステップＳ３１０に進む。
【００５４】
ステップＳ３１２では、ＯＳＤ部１１３は、装着されたセキュリティカード１１６に記録されている動画像ファイルのデータが破損していることを示す警告画像を生成する。制御部１０８は、表示部１２０またはＨＤＭＩ１１８に対して、その生成された警告画像を出力し、その生成された警告画像を表示するように制御する。表示部１２０は、その警告画像を表示し、ユーザに知らせる。その後、制御部１０８は、ステップＳ３１０に進む。
【００５５】
ステップＳ３１３では、ＯＳＤ部１１３は、装着されたセキュリティカード１１６が破損していることを示す警告画像（情報）を生成する。制御部１０８は、表示部１２０またはＨＤＭＩ１１８に対して、その生成された警告画像を出力し、その生成された警告画像を表示するように制御する。表示部１２０は、その警告画像を表示し、ユーザに知らせる。その後、制御部１０８は、ステップＳ３１０に進む。ステップＳ３１０では、制御部１０８は、図３の処理を終了する。
【００５６】
以上説明したように、制御部１０８は、セキュリティカード１１６から読み出したデータの値が固定値である場合には、セキュリティカード１１６がロック状態であることを示す警告画像を表示部１２０に表示する。制御部１０８は、ステップＳ３１２およびＳ３１３の警告画像の表示とは別に、ステップＳ３０９の警告画像の表示を行う。ユーザは、記録媒体１１６がカメラ１００に装着される前に、記録媒体１１６に書き込まれた動画像ファイルを閲覧できない場合がある。その場合、ユーザは、セキュリティカード１１６の破損またはデータの破損ではなく、単にセキュリティカード１１６がロック状態であることが原因で、動画像ファイルを閲覧できないことを認識可能になる。
【００５７】
なお、上述した実施形態においては、撮像素子１０３を有するカメラ１００を例にして説明したが、この例に限定されず、記録媒体１１６を装着して記録媒体１１６に対してデータを書き込む電子機器の記録装置であれば適用可能である。例えば、外部入力端子から入力された動画像を記録媒体１１６に記録するような動画レコーダに適用可能である。同様に、本実施形態の記録装置は、パーソナルコンピュータやＰＤＡ、携帯電話端末や携帯型の画像ビューワ、ディスプレイを備えるプリンタ装置、デジタルフォトフレーム、などに適用可能である。また、音楽プレーヤ、ゲーム機、電子ブックリーダー、タブレット端末、スマートフォン、投影装置、ディスプレイを備える家電装置や車載装置などに適用可能である。
【００５８】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読み出し実行する処理でも実現可能である。また、１以上の機能を実現する回路（例えば、ＡＳＩＣ）によっても実現可能である。
【００５９】
なお、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【符号の説明】
【００６０】
１００  カメラ、１０８  制御部、１１３  ＯＳＤ部、１１６  記録媒体、１１９  ファイル情報記録部、１２０  表示部
【図１】
2020098954.tif 000003
【図２】
2020098954.tif 000004
【図３】
2020098954.tif 000005